(57)【特許請求の範囲】
【請求項１】
レセプタクル内の飲料、例えばコーヒーの調製に使用される機械のためのバスケット（１）であって、該バスケット（１）の内側（４）と外側との直接的なつながりを妨げる少なくとも１つのベース（５）によって端部のうちの１つで閉じられている少なくとも１つの径方向の溝（３）を有するリム（２）を含む、前記バスケット。
【請求項２】
複数の溝（３）を含む、請求項１に記載のバスケット。
【請求項３】
溝（３）は、バスケットの軸に対して垂直に延びるか、またはそうではないことがある、請求項１または２に記載のバスケット。
【請求項４】
溝（３）は、同じ長さまたは異なる長さを有する、請求項１〜３のいずれか１項に記載のバスケット。
【請求項５】
溝（３）は、同じ深さまたは異なる深さを有する、請求項１〜４のいずれか１項に記載のバスケット。
【請求項６】
溝（３）は、同じ形状または異なる形状を有する、請求項１〜５のいずれか１項に記載のバスケット。
【請求項７】
溝（３）および／またはベース（５）は、バスケット（１）に形成される、請求項１〜６のいずれか１項に記載のバスケット。
【請求項８】
溝（３）および／またはベース（５）は、バスケット（１）に固定される少なくとも１つの構成要素に形成されるか、または、１つもしくはそれ以上の構成要素および／もしくはバスケット（１）に形成される、請求項１〜７のいずれか１項に記載のバスケット。
【請求項９】
構成要素は、バスケット（１）と同じ材料または別の材料のものである、請求項８に記載のバスケット。
【請求項１０】
飲料、例えばコーヒーを形成することを目的とした製品を含むカプセル（１０、１２、１４）と組み合わさる、請求項１〜９のいずれか１項に記載のバスケット。
【請求項１１】
カプセルは、接合部を形成しかつバスケットの溝（３）と協働する、手段（１１、１３）を含む、請求項１０に記載のバスケット。
【請求項１２】
接合部を形成する手段は、ビード（１１）またはピーク（１３）を含む、請求項１１に記載のバスケット。
【請求項１３】
飲料を抽出するためのものであり、また、請求項１〜１２のいずれか１項に記載のバスケットを含む、デバイス。
【請求項１４】
請求項１〜１２のいずれか１項に記載のバスケットと組み合わさって飲料を抽出するためのデバイス。
【請求項１５】
濃縮した一定量の製品、例えば挽いたコーヒーを含むエレメントから、そのようにして得られた混合物を抽出することにより、エレメントから飲料を抽出する方法であって、請求項１〜１２のいずれか１項に記載のバスケットまたは請求項１３もしくは１４に記載のデバイスを使用する、前記方法。
【発明の詳細な説明】
【技術分野】
【０００１】
関連出願の相互参照
本願は、本願と同じ出願人の名において２０１３年２月１３日に出願された先行出願ＰＣＴ／ＩＢ２０１３／０５１１７５の優先権を主張するものであり、その先行出願の内容は、参照により全体が本出願に組み入れられる。
【０００２】
本発明は、濃縮した一定量の製品、例えば挽いたコーヒー（ｃｏｆｆｅｅ  ｇｒｏｕｎｄｓ）を含むエレメント内に水を導入し、そのようにして得られた混合物を抽出することにより飲料、例えばコーヒーを調製するための方法に関し、より詳細には、この目的のために使用されるデバイスに関する。
【背景技術】
【０００３】
濃縮した一定量の製品を含む様々な種類のエレメントが知られており、このエレメントを通して水が導入され、濃縮した一定量の製品と混合されて、エレメントから抽出される。
【０００４】
エレメントは、例えばカプセルまたは別の同等のレセプタクルの形態であり、これはバスケット内に導入され、また、例えばカプセルタイプバスケットと呼ばれる。
【０００５】
カプセルタイプのエレメント内への水の導入は、エレメントの少なくとも１つの壁を穿孔することによって行われる。抽出は、エレメントの壁を穿孔するか引き裂くか破裂させることによって、または別の同等の方法によって行われ得る。
【０００６】
バスケットは、特には、一定量の製品を含むエレメント（例えば、カプセル）が飲料の抽出および調製の工程中に保持されることを可能にする。
【０００７】
バスケット／カプセル（または、一定量の製品を含む任意の他のエレメント）の組み合わせは、抽出中には不透過性でなければならず、また、抽出工程が完了した後でのそれらの分離を可能としなければならない。
【０００８】
特許文献１および特許文献２は、コーヒーマシンにおけるカプセルバスケットについて説明しており、このバスケットは、径方向の開口部または溝によって鋸歯状にされたリムを含み、この開口部または溝は、バスケットの外側と内側との間での空気の通過を可能にするように、また、カプセルが使用された後でのバスケットからのカプセルの抜き出しを容易にするように、バスケットの外側をバスケットの内側に対して配置する。
【０００９】
こうした溝の主な欠点は、正確には、それらがバスケットの外側と内側とを直接的な関係で配置し、それにより抽出工程中の不透過性が損なわれるという事実である。
【００１０】
それでもなお、この鋸歯状のまたはギザギザの壁は、飲料が抽出される際にカプセルのリム上に結合部を形成するのに好都合である。
【先行技術文献】
【特許文献】
【００１１】
【特許文献１】ＥＰ１６５４９６６号公報
【特許文献２】ＷＯ２００９／０９０２０１号公報
【発明の概要】
【発明が解決しようとする課題】
【００１２】
本発明の目的のうちの１つは、飲料の調製のための改良されたデバイスを提供することである。
【００１３】
特に、本発明の一目的は、抽出工程中に最適な不透過性を保持すると同時に、抽出工程が完了した後でのバスケットと例えばカプセルを含むエレメントとの容易な分離も可能にする、抽出デバイスを提供することである。
【課題を解決するための手段】
【００１４】
この目的は、特に、特許請求の範囲に定義された手段によって達成される。
【００１５】
１つの実施形態によれば、バスケットは、バスケットの内側と外側との直接的なつながりを妨げる少なくとも１つのベースによって閉じられている少なくとも１つの溝を有するリムを含む。
【００１６】
バスケットは、複数の溝を含むことができる。
【００１７】
溝は、バスケットの軸に対して垂直に延びるか、またはそうではないことがある。
【００１８】
溝は、同じ長さまたは異なる長さを有することができる。
【００１９】
溝は、同じ深さまたは異なる深さを有することができる。
【００２０】
溝は、同じ形状または異なる形状を有することができる。
【００２１】
溝は、バスケットに直接形成されるか、またはそうではないことがある。
【００２２】
溝は、バスケットに固定される少なくとも１つの構成要素に、または１つもしくはそれ以上の構成要素およびバスケットに形成されるか、またはバスケットに固定される構成要素によって形成され得る。構成要素は、バスケットに嵌合されるか、または、バスケットに固定され得る。任意の他の同等の固定手段（接着剤による接着加工、螺着、等）が、本発明の文脈において想定され得る。同様に、溝のベースは、１つの追加構成要素（固定される、嵌合される、等）によって形成されるか、またはそうではないことがある。溝のベースは、バスケットに形成されてもよい。
【００２３】
構成要素は、バスケットと同じ材料のものか、または別の材料のものであり得る。
【００２４】
バスケットは、カプセル、例えばコーヒーのカプセルと組み合わせられ得る。カプセルは、材料のビードまたはピークのような、結合部を形成する手段を含み得る。
【００２５】
本発明はまた、飲料を抽出するためのものであり、また、カプセルの有無にかかわらず本願で定義されたバスケットを含む、デバイスに関する。
【図面の簡単な説明】
【００２６】
【図１】バスケット１、例えばカプセルバスケットの斜視図である。
【図２】バスケット１のリム２の正面図である。
【図３】バスケット１のリム２の断面図である。
【図４】本発明のバスケット１と、そのリム１０’上に材料のビード１１を含むカプセル１０との関連付けを示す。
【図５】本発明のバスケット１と、そのエッジ１２’上に材料のピーク１３を含むカプセル１２との関連付けを示す。
【図６】本発明のバスケット１と、そのリム１４’上に特定の接合要素を含まないカプセル１４との関連付けを示す。
【発明を実施するための形態】
【００２７】
以下、図面に示された実施形態を参照しながら、本発明をより詳細に説明する。
【００２８】
図１は、バスケット１、例えばカプセルバスケットの斜視図である。
【００２９】
バスケット１は、上述の公報と同様にバスケットの軸に対して垂直に延びる溝３を備えるリム２を含む。
【００３０】
しかし、それらの従来の公報で教示されてきたこととは異なり、本発明による溝３は、リムの全体にわたって延びるのではなく、ベース５を介してバスケット１の内壁４に達する前に終結し、ベース５は、「袋小路」の形状でありかつその端部のうちの１つで閉じられている、溝３を作成する。
【００３１】
この構造は、図２および図３に詳細に示されており、これらの図はそれぞれ、バスケット１のリム２の正面図および断面図である。
【００３２】
このようにして、バスケットの内側の加圧をもたらす抽出中に、バスケット１のリム２とカプセル（この図には示されていないが、前掲の公報に提示された原理に対応し、また、当業者によって容易に想定され得る）との間に作成された接合部は、従来技術で教示されたような途切れのない溝によって弱められることがない。
【００３３】
図４から図６は、接合部を含む場合もあれば含まない場合もある様々なカプセルとともに、本発明によるバスケット構成を示し、図の左側は、バスケットの内側である（ここにカプセルが配置される）。
【００３４】
図４では、本発明によるバスケット１は、そのリム１０’上に材料のビード１１を含むカプセル１０と関連付けられており、ビード１１は、ベース５がビード１１に押し込まれることにより、溝３のベース５における結合を有効にする。
【００３５】
図５では、本発明によるバスケット１は、そのエッジ１２’上に材料のピーク１３を含むカプセル１２と関連付けられており、ピーク１３は、ベースがピーク１３に押し込まれることにより、溝３のベース５における接合を可能にする。このピーク１３は、示された形状、または異なる同等の形状、例えば方形等を有することができる。
【００３６】
図６では、本発明によるバスケット１は、そのリム１４’上に特定の接合要素を含まないカプセル１４と関連付けられている。それでもなお、そのような構成では、上述の原理を適用することにより、そのベース５を有する本発明による溝３の特別な構成によって、良好なバスケット／カプセルの接合が得られる。
【００３７】
本発明は、本願で説明された実施形態に限定されるものではなく、特許請求の範囲に関連して適宜、変形形態が可能である。
【００３８】
バスケットのリム２には任意の数の溝３を形成することが可能であり、図は、原理を示す働きをするに過ぎない。１つの溝３につき２つ以上のベース５が位置決めされるように準備することも可能である。
【００３９】
溝の長さ（およびベースの厚さ）は、各溝３で同じであってもよいし、異なっていてもよい。例えば、厚いベース５および薄いベース５（したがって、短い溝または長い溝）を交互に並べるか、または、別の法則に従ってそれらを変えることが可能である。
【００４０】
溝３は、バスケット１の軸に対して正確に垂直であってもよいし、傾きを有していてもよい：すなわち、溝３は、一方の側（例えば、ベース５の側）が他方の側よりも深くなる。その逆も可能である。
【００４１】
同様に、溝３は、一定の幅（例えば、図２に示されるように）を有していてもよいし、そうではなくてもよい。このようにして、溝３は、ベースの側で、または他方の側で、より広く（または狭く）なり得る。
【００４２】
溝は、バスケットの軸に対して垂直であってもよいし、そうではなくてもよい。さらに、溝は、直線的な軸に沿ってまたは曲がった軸に沿って延びる形状を有することができる。
【００４３】
各溝の配置は、平行であってもよいし、そうではなくてもよく、例えば山形等の形状であってもよい。
【００４４】
当然ながら、上述のような異なるタイプの溝３を同じバスケット１の上で組み合わせることが可能であり、また、説明された全ての変形形態を交互に並べかつ／または組み合わせることが可能である。
【００４５】
溝３は、任意の適切な方法によりバスケットのリムに直接形成されることが好ましい。あるいは、それらの溝３を備え、かつ、バスケットが溝を有するか否かに問わずバスケット１の上に取り付けられる、適切な構成要素（例えば、分解することができるリム）を設けることも可能である。例えば、溝（数、形状、等）が所与の種類のカプセルに（ひいては、使用される任意のレセプタクルに）最適化された、理想的な「溝／カプセル」対を提供することが可能である。
【００４６】
別の代替形態では、着脱可能なリムを使用することにより、バスケット１を交換することなしに摩耗に応じてリムを交換することが可能になる。
【００４７】
着脱可能なリムの使用はまた、バスケット１の材料とは同じではないであろう適切な材料の選択を可能にする。それらの材料は、金属または合成材料、例えば別の適切な材料であり得る。
【００４８】
説明された実施形態およびその特徴は、状況に応じて互いに自由に組み合わせることができる。
【図１】
0006404237.tif 000002
【図２】
0006404237.tif 000003
【図３】
0006404237.tif 000004
【図４】
0006404237.tif 000005
【図５】
0006404237.tif 000006
【図６】
0006404237.tif 000007